(57)【要約】【課題】コンピュータおよびプリンタから構成されている印刷システムから離れている人にプリンタのステータスを知らせることができる印刷システムを提案すること。【解決手段】印刷システム１は、コンピュータ３と、このコンピュータ３にネットワーク２を介して接続されたプリンタ４および状態表示灯５を備えている。また、コンピュータ３上で動作しているプリンタドライバ３９では、ステータスモニタ３９１がプリンタ４のステータスを監視しており、そのステータスが変化すると、制御指令送信手段３９５が変化後のステータスに対応する制御指令を状態表示灯５に送信して、状態表示灯５を所定の形態で発光および／または鳴動させる。従って、コンピュータ３およびプリンタ４から離れた位置にある状態表示灯５によってプリンタ４のステータスを知らせることができる。【選択図】図１
2009199403.tif 000002
【特許請求の範囲】
【請求項１】
ネットワークを介して接続されているコンピュータおよびプリンタを備えている印刷システムにおいて前記プリンタのステータスを告知するプリンタのステータス告知方法において、
制御指令に基づいて所定の形態で発光および／または鳴動する状態表示灯を前記ネットワークに接続し、
前記コンピュータにおいて、前記プリンタのステータスを監視し、
前記ステータスが変化した場合には、変化後の前記ステータスに予め対応付けられている前記制御指令を、前記コンピュータから前記状態表示灯に送信することを特徴とするプリンタのステータス告知方法。
【請求項２】
コンピュータと、
前記コンピュータに接続されているプリンタと、
前記コンピュータに接続されており、制御指令に基づいて所定の形態で発光および／または鳴動する状態表示灯とを有し、
前記コンピュータは、前記プリンタのステータスを監視するステータス監視手段と、前記プリンタの各ステータスと前記状態表示灯の各制御指令とを対応付けした形態で記憶保持している制御指令記憶保持手段と、前記ステータスが変化した場合には、変化後の前記ステータスを取得して、このステータスに対応付けられている前記制御指令を前記状態表示灯に送信する制御指令送信手段を備えていることを特徴とする印刷システム。
【請求項３】
請求項２に記載の印刷システムにおいて、
前記コンピュータは、前記プリンタの各ステータスと前記状態表示灯の各制御指令とを対応付した形態で操作者に入力させて前記制御指令記憶保持手段に記憶保持させる制御指令設定手段を有していることを特徴とする印刷システム。
【請求項４】
コンピュータと、
前記コンピュータに接続されているプリンタと、
前記コンピュータに接続されており、制御指令によって所定の形態で発光および／または鳴動する状態表示灯とを有し、
前記コンピュータには、前記プリンタを駆動制御して印刷を行わせるプリンタドライバが搭載されており、
前記プリンタドライバは、前記プリンタのステータスを監視するステータス監視手段と、前記プリンタの各ステータスと前記状態表示灯の各制御指令とを対応付けした形態で記憶保持している制御指令記憶保持手段と、前記ステータスが変化した場合には、変化後の前記ステータスを取得して、このステータスに対応付けられている前記制御指令を前記状態表示灯に送信する制御指令送信手段を備えていることを特徴とする印刷システム。
【請求項５】
請求項４に記載されている印刷システムにおいて、
前記プリンタドライバは、前記プリンタの各ステータスと前記状態表示灯の各制御指令とを対応付した形態で操作者に入力させて、前記制御指令記憶保持手段に記憶保持させる制御指令設定手段を有していることを特徴とする印刷システム。
【請求項６】
請求項４または５に記載されている印刷システムを構成しているコンピュータに搭載されているプリンタドライバ。
【発明の詳細な説明】
【技術分野】
【０００１】
本発明は、コンピュータおよびプリンタを備えている印刷システムにおけるプリンタのステータス告知方法に関する。
【背景技術】
【０００２】
病院などの構内にはＬＡＮ（Local Area Network）が構築されており、このＬＡＮに接続されているプリンタを、このＬＡＮに接続されている複数台のコンピュータから利用できるようなっている。各コンピュータは受付や診察室などに配置されており、プリンタは事務室などの共用のスペースに設置されている。ユーザは受付や診察室のコンピュータから事務室のプリンタに印刷データを印刷させた後に、事務室まで出向いて、プリンタから出力されている印刷物を得る。
【０００３】
各コンピュータには、ネットワークを介して事務室のプリンタを駆動制御して印刷を行うプリンタドライバが搭載されている。プリンタドライバは印刷データの印刷を行う際にネットワークを介して接続されているプリンタのステータスを検出する機能を備えており、プリンタのステータスとしてインク切れ状態や、記録紙がない紙無し状態などを検出すれば、コンピュータの画面上にエラーを表示するようになっている（特許文献１参照）。しかし、受付や診察室で事務室のプリンタのインク切れや紙無しが分かっても、事務室まで出向いてインクや記録紙を補充することは大変である。
【０００４】
一方、事務室のプリンタは、インク切れ状態や紙無し状態のステータスに陥った場合には、プリンタ本体に搭載されている状態表示灯を所定の形態で発光させて、その旨を表示するようになっている（特許文献２参照）。しかし、プリンタ本体の状態表示灯はプリンタのごく近くにいる人でなければ確認することができないので、事務室にいる職員がインク切れや紙無しに気付いて、プリンタにインクや記録紙を補充してくれることは期待できない。  
【特許文献１】特開平１０−２８３１３０号公報
【特許文献２】特開２００４−１８８６３８号公報
【発明の開示】
【発明が解決しようとする課題】
【０００５】
このような場合に、事務室の職員がプリンタのステータスの変化にすぐに気が付いて、インクや記録紙の補充などの必要な措置を講ずることができれば、ＬＡＮに接続されているコンピュータおよびプリンタからなる印刷システムの利便性は大幅に向上する。
【０００６】
本発明の課題は、このような点に鑑みて、コンピュータおよびプリンタから構成されている印刷システムから離れている人に対してプリンタのステータスを告知することができるプリンタのステータス告知方法、印刷システム、およびプリンタドライバを提案することにある。
【課題を解決するための手段】
【０００７】
上記の課題を解決するために、本発明は、ネットワークを介して接続されているコンピュータおよびプリンタを備えている印刷システムにおいて前記プリンタのステータスを告知するプリンタのステータス告知方法において、
制御指令に基づいて所定の形態で発光および／または鳴動する状態表示灯を前記ネットワークに接続し、
前記コンピュータにおいて、前記プリンタのステータスを監視し、
前記ステータスが変化した場合には、変化後の前記ステータスに予め対応付けられている前記制御指令を、前記コンピュータから前記状態表示灯に送信することを特徴とする。
【０００８】
本発明によれば、ネットワークを介してコンピュータ、プリンタ、および状態表示灯が接続されており、プリンタのステータスが変化すると、変化後のステータスに対応付けられている制御指令がコンピュータから状態表示灯に送信される。この結果、状態表示灯が所定の形態で発光および／または鳴動するので、状態表示灯によってプリンタのステータスを知らせることができる。また、状態表示灯は、ネットワークに接続されていれば設置場所を選ばないので、コンピュータおよびプリンタから離れた位置に配置することができる。従って、プリンタのステータスをコンピュータおよびプリンタから離れている人に対して知らせることができる。
【０００９】
次に、本発明の印刷システムは、
コンピュータと、
前記コンピュータに接続されているプリンタと、
前記コンピュータに接続されており、制御指令に基づいて所定の形態で発光および／または鳴動する状態表示灯とを有し、
前記コンピュータは、前記プリンタのステータスを監視するステータス監視手段と、前記プリンタの各ステータスと前記状態表示灯の各制御指令とを対応付けした形態で記憶保持している制御指令記憶保持手段と、前記ステータスが変化した場合には、変化後の前記ステータスを取得して、このステータスに対応付けられている前記制御指令を前記状態表示灯に送信する制御指令送信手段を備えていることを特徴とする。
【００１０】
本発明の印刷システムは、コンピュータと、このコンピュータに接続されているプリンタおよび状態表示灯を備えている。また、コンピュータはステータス監視手段によってプリンタのステータスを監視しており、そのステータスが変化すると、制御指令送信手段が変化後のステータスに対応する制御指令を状態表示灯に送信して、状態表示灯を所定の形態で発光および／または鳴動させる。従って、状態表示灯によってプリンタのステータスを知らせることができる。また、状態表示灯は、コンピュータに接続されていれば設置場所を選ばないので、例えば、ネットワークを介して接続すれば、コンピュータおよびプリンタから離れた位置に配置できる。この結果、プリンタのステータスをコンピュータおよびプリンタから離れている人に対して知らせることができる。
【００１１】
本発明において、プリンタのステータスが変化したときに、状態表示灯にユーザの所望の動作を行わせるためには、前記コンピュータは、前記プリンタの各ステータスと前記状態表示灯の各制御指令とを対応付けした形態で操作者に入力させて前記制御指令記憶保持手段に記憶保持させる制御指令設定手段を有していることが望ましい。
【００１２】
次に、本発明の別の形態の印刷システムは、
コンピュータと、
前記コンピュータに接続されているプリンタと、
前記コンピュータに接続されており、制御指令によって所定の形態で発光および／または鳴動する状態表示灯とを有し、
前記コンピュータには、前記プリンタを駆動制御して印刷を行わせるプリンタドライバが搭載されており、
前記プリンタドライバは、前記プリンタのステータスを監視するステータス監視手段と、前記プリンタの各ステータスと前記状態表示灯の各制御指令とを対応付けした形態で記憶保持している制御指令記憶保持手段と、前記ステータスが変化した場合には、変化後の前記ステータスを取得して、このステータスに対応付けられている前記制御指令を前記状態表示灯に送信する制御指令送信手段を備えていることを特徴とする。
【００１３】
本発明の印刷システムは、コンピュータと、このコンピュータに接続されているプリンタおよび状態表示灯を備えている。また、コンピュータに搭載されているプリンタドライバでは、ステータス監視手段がプリンタのステータスを監視しており、そのステータスが変化すると、制御指令送信手段が変化後のステータスに対応する制御指令を状態表示灯に送信して、状態表示灯を所定の形態で発光および／または鳴動させる。従って、状態表示灯によってプリンタのステータスを知らせることができる。また、状態表示灯は、コンピュータに接続されていれば設置場所を選ばないので、例えば、ネットワークを介して接続すれば、コンピュータおよびプリンタから離れた位置に配置できる。この結果、プリンタのステータスをコンピュータおよびプリンタから離れている人に対して知らせることができる。
【００１４】
本発明において、プリンタのステータスが変化したときに、状態表示灯にユーザの所望の動作を行わせるためには、前記プリンタドライバは、前記プリンタの各ステータスと前記状態表示灯の各制御指令とを対応付けした形態で操作者に入力させて、前記制御指令記憶保持手段に記憶保持させる制御指令設定手段を有していることが望ましい。
【００１５】
次に、本発明は、上記の印刷システムを構成しているコンピュータに搭載されているプリンタドライバとすることができる。
【発明の効果】
【００１６】
本発明によれば、コンピュータおよびプリンタを有する印刷システムには状態表示灯が接続されており、プリンタのステータスが変化すると、変化後のステータスに対応付けられている制御指令がコンピュータから状態表示灯に送信される。この結果、状態表示灯が所定の形態で発光および／または鳴動するので、状態表示灯によってプリンタのステータスを知らせることができる。また、状態表示灯は、コンピュータに接続されていれば設置場所を選ばないので、例えば、ネットワークを介して接続すれば、コンピュータおよびプリンタから離れた位置に配置することができる。従って、プリンタのステータスをコンピュータおよびプリンタから離れている人に対して知らせることができる。
【発明を実施するための最良の形態】
【００１７】
以下に、図面を参照して、本発明の実施の形態を説明する。
【００１８】
（印刷システム）
図１は、本発明の印刷システムを示す構成図である。印刷システム１は、ネットワーク２と、このネットワーク２に接続されているコンピュータ３と、ネットワーク２を介してこのコンピュータ３と接続されているプリンタ４および状態表示灯５を有している。コンピュータ３には入出力装置としてディスプレイ３１、キーボード３２、マウス３３が接続されている。状態表示灯５は赤、黄、緑の３色のＬＥＤ５１、５２、５３とブザー５４を備えており、ネットワーク２を介して受信した制御指令に基づいて、所定のパターンで発光および／または鳴動する。
【００１９】
本例の印刷システム１では、コンピュータ３がプリンタ４のステータスをネットワーク２を介して監視しており（Ａ）、コンピュータ３がプリンタ４のステータスの変化を検出すると（Ｂ）、コンピュータ３から状態表示灯５に所定の制御指令を送信するようになっている（Ｃ）。この結果、状態表示灯５はプリンタ４のステータスに応じて発光し、或いは、鳴動する。従って、プリンタ４のステータスを、コンピュータ３およびプリンタ４から離れた位置に設置されている状態表示灯５によって周囲に知らせることができる。
【００２０】
（制御系）
図２は印刷システム１の制御系を示す概略ブロック図である。コンピュータ３はネットワーク２に接続するための通信インターフェース３５と、演算処理部３６を備えている。演算処理部３６では、オペレーティングシステム（ＯＳ）３７と、ＯＳ３７上で動作するアプリケーションプログラム３８と、アプリケーションプログラム３８から出力される印刷データを、ＯＳ３７を介して受け取って、この印刷データを印刷するためにネットワーク２を介してプリンタ４を駆動制御するプリンタドライバ３９が動作している。
【００２１】
プリンタドライバ３９は、ネットワーク２を介してプリンタ４のステータスを監視するステータスモニタ（ステータス監視手段）３９１を備えている。ステータスモニタ３９１は、ステータスを取得するためのステータス通知指令を一定の間隔でプリンタ４に送信して、プリンタ４のステータスを取得している。
【００２２】
また、プリンタドライバ３９は、コンピュータ３とネットワーク２に接続されている状態表示灯５との通信を可能にするために通信ポートや状態表示灯５のネットワーク２上のアドレスを設定する通信設定手段３９２と、プリンタ４の各ステータスと状態表示灯５の各制御指令とを対応付けした形態で記憶保持している制御指令記憶保持手段３９３と、プリンタ４の各ステータスと状態表示灯５の各制御指令とを対応付けした形態でユーザに入力させて制御指令記憶保持手段３９３に記憶保持させる制御指令設定手段３９４と、プリンタ４のステータスが変化すると変化後のステータスをステータスモニタ３９１、あるいはプリンタ４から取得して、このステータスに対応付けられている制御指令を状態表示灯５に送信する制御指令送信手段３９５を備えている。
【００２３】
通信設定手段３９２および制御指令設定手段３９４は、ディスプレイ３１上に各種の設定を入力させるための設定用ダイアログボックスを表示する。図３は、通信設定手段３９２および制御指令設定手段３９４によって表示される設定用ダイアログボックスである。
【００２４】
設定用ダイアログボックス４００の上側部分には、状態表示灯５のネットワーク２上のアドレスを入力するための入力欄４０１と、通信ポートを入力するための入力欄４０２が設けられている。ユーザによって、入力欄４０１、４０２にＩＰアドレスと通信ポート番号が入力された後に、この設定用ダイアログボックス４００の下側部分に配置されているＯＫボタン５００がクリックされると、通信設定手段３９２は、入力欄４０１、４０２に入力されている値を通信ポートおよびＩＰアドレスとして設定し、コンピュータ３と状態表示灯５との通信を可能な状態にする。
【００２５】
設定用ダイアログボックス４００の中央部分には、状態表示灯５に制御指令を送信するか否かを設定する設定用チェックボックス４０３と、プリンタ４の各ステータスを表示するステータス表示用プルダウンメニュー４０４と、状態表示灯５の各ＬＥＤ５１、５２、５３の発光形態を指定するための複数の発光設定用プルダウンメニュー４０５、４０６、４０７と、状態表示灯５のブザー５４の鳴動形態を指定するための鳴動設定用プルダウンメニュー４０８が設けられている。
【００２６】
設定用チェックボックス４０３がチェックされると、制御指令送信手段３９５は制御指令を状態表示灯５に送信するように設定される。チェックが外されると制御指令送信手段３９５は制御指令の送信を行わないように設定される。
【００２７】
ステータス表示用プルダウンメニュー４０４に表示されるプリンタ４の各ステータスとしては、記録紙がない紙無し状態、インク切れ状態、印刷データの印刷を行っている印刷状態、印刷データを受信して印刷することが可能な待機状態などがある。発光設定用プルダウンメニュー４０５、４０６、４０７に表示される各ＬＥＤ５１、５２、５３の発光形態としては、消灯、点灯、点滅などがある。鳴動設定用プルダウンメニュー４０８に表示されるブザー５４の鳴動形態としては、連続音、断続音、鳴らさない、などがある。
【００２８】
ユーザはステータス表示用プルダウンメニュー４０４からプリンタ４のステータスを選択した後に、発光設定用プルダウンメニュー４０５、４０６、４０７および鳴動設定用プルダウンメニュー４０８から所望の動作を選択してＯＫボタン５００をクリックすることにより、プリンタ４の各ステータスと状態表示灯５を駆動するための各制御指令を対応付けることができる。なお、ステータス表示用プルダウンメニュー４０４の横に配置されている動作テストボタン４０９を押すと、発光設定用プルダウンメニュー４０５、４０６、４０７およびブザー５４設定用プルダウンメニューで選択されている動作を状態表示灯５に行わせるための制御指令がコンピュータ３から状態表示灯５に送信されるようになっており、状態表示灯５の動作テストを行うことができる。
【００２９】
次に、プリンタ４は、図２に示すように、制御部４１を中心の構成されており、制御部４１の入力側には、ネットワーク２を介して制御指令や印刷データを受信するための通信インターフェース４２と、記録紙の有無を検出する紙検出器４３やインクの有無を検出するインク残量検出器４４など各種のセンサが接続されている。制御部４１の出力側には、ドライバ４５、４６を介して印刷ヘッド４７や記録紙を搬送するための紙送りモータ４８が接続されている。
【００３０】
制御部４１は、ステータス通知指令を受信すると、紙検出器４３やインク残量検出器４４の検出値に基づいて、紙無し状態やインク切れ状態などのステータスをプリンタドライバ３９に通知する。また、印刷ヘッド４７や紙送りモータ４８の駆動状態に基づいて、印刷状態や待機状態などのステータスをプリンタドライバ３９に通知する。
【００３１】
状態表示灯５は制御部５５を中心の構成されており、制御部５５の入力側には、ネットワーク２を介して制御指令を受信するための通信インターフェース５６が接続されている。制御部４１の出力側には、ドライバ５７、５８、５９を介して赤、黄、緑のＬＥＤ５１、５２、５３が接続されている。また、ブザー５４が接続されている。通信インターフェース５６を介してコンピュータ３で動作しているプリンタドライバ３９から制御指令を受信すると、この制御指令に基づいて、所定の形態で各ＬＥＤ５１、５２、５３を発光させる。或いは、所定の形態でブザー５４を鳴らす。
【００３２】
（プリンタのステータス告知動作）
図４を参照して、印刷システム１におけるプリンタ４のステータス告知動作を説明する。図４はプリンタ４のステータス告知動作を示すフローチャートである。
【００３３】
まず、通信設定手段３９２よって、コンピュータ３と状態表示灯５とは通信可能に設定されているものとする。また、制御指令設定手段３９４によって、プリンタ４の各ステータスと状態表示灯５を所定の形態で発光および／または鳴動させる各制御指令とは対応付けられて制御指令記憶保持手段３９３に記憶保持されているものとする。さらに、設定用ダイアログボックス４００の設定用チェックボックス４０３がチェックされており、制御指令送信手段３９５は制御指令を状態表示灯５に送信するように設定されている。
【００３４】
印刷システム１が稼動状態になると、コンピュータ３はプリンタ４のステータスを監視する。すなわち、プリンタドライバ３９のステータスモニタ３９１が所定の間隔でプリンタ４のステータスを取得して、このステータスが変化したか否かを検出する（ステップＳＴ１）。
【００３５】
ステップＳＴ１でプリンタ４のステータスの変化が検出されると、制御指令送信手段３９５は変化後のステータスを取得し、このステータスに対応付けられている制御指令を状態表示灯５に送信する（ステップＳＴ２、ステップＳＴ３）。
【００３６】
具体的には、印刷システム１が稼動状態になって最初にプリンタ４のステータスを取得した時点、プリンタ４が印刷を開始した時点、プリンタ４による印刷が終了した時点、プリンタ４が紙無し状態やインク切れ状態に陥った時点などで、ステータスモニタ３９１はプリンタ４のステータスの変化を検出する。また、ステータスの変化が検出されると、ステップＳＴ２において、制御指令送信手段３９５は変化後のステータスを取得する。ここで、変化後のステータスが「待機状態」であれば、図３の設定用ダイアログボックス４００で指定されているように、状態表示灯５に赤、黄、緑のＬＥＤ５１、５２、５３をそれぞれ点灯させる動作を行わせる制御指令を、状態表示灯５に送信する。
【００３７】
コンピュータ３から送信された制御指令を状態表示灯５が受信すると（ステップＳＴ４）、状態表示灯５は所定の形態で発光および／または鳴動する（ステップＳＴ５）。すなわち、変化後のステータスが待機状態であれば、状態表示灯５は赤、黄、緑のＬＥＤ５１、５２、５３をそれぞれ発光させる。
【００３８】
コンピュータ３から状態表示灯５に制御指令が送信された後は、コンピュータ３は、再び、プリンタ４のステータスを監視する状態に戻る。
【００３９】
（本形態の効果）
本例の印刷システム１は、コンピュータ３と、このコンピュータ３にネットワーク２を介して接続されているプリンタ４および状態表示灯５を備えている。また、コンピュータ３に搭載されているプリンタドライバ３９はステータスモニタ３９１を備えており、このステータスモニタ３９１によってプリンタ４のステータスを監視している。さらに、制御指令送信手段３９５を備えており、プリンタ４のステータスが変化すると、変化後のステータスに対応する制御指令を状態表示灯５に送信して、状態表示灯５を所定の形態で発光および／または鳴動させる。従って、状態表示灯５によってプリンタ４のステータスを知らせることができる。また、状態表示灯５は、ネットワーク２を介してコンピュータ３に接続されていれば設置場所を選ばないので、コンピュータ３およびプリンタ４から離れた位置に配置できる。この結果、プリンタ４のステータスをコンピュータ３およびプリンタ４から離れている人に対して知らせることができる。
【００４０】
また、プリンタドライバ３９は、プリンタ４の各ステータスと状態表示灯５の各制御指令とを対応付けした形態でユーザに入力させて、制御指令記憶保持手段３９３に記憶保持させる制御指令設定手段３９４を有しているので、ユーザは、プリンタ４のステータスが変化したときに、状態表示灯５にユーザの所望の動作を行わせることができる。
【００４１】
（その他の実施の形態）
なお、上記の例では、ステータスモニタ３９１、通信設定手段３９２、制御指令記憶保持手段３９３、制御指令設定手段３９４および制御指令送信手段３９５は、ネットワーク２を介してプリンタ４を駆動制御して印刷を行うプリンタドライバ３９に組み込まれているが、これらをプリンタドライバ３９とは独立したアプリケーションプログラムとすることもできる。
【００４２】
また、プリンタ４が自己のステータスをコンピュータ３に通知する機能を備えている場合には、ステータスモニタ３９１は、通知されるステータスを取得することによってステータスの変化を検出するものとすることができる。
【００４３】
また、上記の例では、コンピュータ３、プリンタ４、状態表示灯５は共通のネットワーク２に接続されているが、コンピュータ３とプリンタ４とが通信可能に接続されており、コンピュータ３と状態表示灯５とが通信可能に接続されていればよく、これらの接続形態は上記の構成に限られるものではない。
【図面の簡単な説明】
【００４４】
【図１】本発明の印刷システムの構成図である。
【図２】本発明の印刷システムの制御系を示す概略ブロック図である。
【図３】通信設定および制御指令の設定を行うための設定用ダイアログボックスである。
【図４】プリンタのステータス告知動作を示すフローチャートである。
【符号の説明】
【００４５】
１・印刷システム、２・ネットワーク、３・コンピュータ、４・プリンタ、５・状態表示灯、３１・ディスプレイ、３２・キーボード、３３・マウス、３５，４２，５６・通信インターフェース、３６・演算処理部、３７・オペレーティングシステム、３８・アプリケーションプログラム、３９・プリンタドライバ、４１，５５・制御部、４３・紙検出器、４４・インク残量検出器、４５，４６，５７，５８，５９・ドライバ、４７・印刷ヘッド、４８・紙送りモータ、５１，５２，５３・ＬＥＤ、５４・ブザー、３９１・ステータスモニタ（ステータス監視手段）、３９２・通信設定手段、３９３・制御指令記憶保持手段、３９４・制御指令設定手段、３９５・制御指令送信手段、４００・設定用ダイアログボックス、４０１，４０２・入力欄、４０３・設定用チェックボックス、４０４・ステータス表示用プルダウンメニュー、４０５，４０６，４０７・発光設定用プルダウンメニュー、４０８・鳴動設定用プルダウンメニュー、４０９・動作テストボタン、５００・ＯＫボタン
【図１】
2009199403.tif 000003
【図２】
2009199403.tif 000004
【図４】
2009199403.tif 000005
【図３】
2009199403.tif 000006